(57)【要約】【課題】楽しみをもって筋力トレーニングすることができる筋力トレーニングシステムを提供すること。【解決手段】伸縮自在な空気袋１５と、この空気袋１５が接続されている気体の閉流路内の圧力を検出する検出手段１６と、この検出手段１６の検出圧力を表示するモニタ２９と、前記検出手段１６の検出圧力の変化に応じて変化するコンピュータグラフィックスを前記モニタ２９に表示させる制御手段２６とを有し、前記空気袋１５を圧縮することにより前記検出手段１６の検出圧力を変化させると前記モニタ２９に表示されるコンピュータグラフィックスが変化させられるように形成したことを特徴とする。【選択図】図２
2008307321.tif 000002
【特許請求の範囲】
【請求項１】
伸縮自在な空気袋と、この空気袋が接続されている気体の閉流路内の圧力を検出する検出手段と、この検出手段の検出圧力を表示するモニタと、前記検出手段の検出圧力の変化に応じて変化するコンピュータグラフィックスを前記モニタに表示させる制御手段とを有し、前記空気袋をつぶすことにより前記検出手段の検出圧力を変化させると前記モニタに表示されるコンピュータグラフィックスが変化させられるように形成したことを特徴とする筋力トレーニングシステム。
【請求項２】
前記コンピュータグラフィックスは、前記検出圧力に応じてキャラクタを運動させるコンピュータゲームであることを特徴とする請求項１に記載の筋力トレーニングシステム。
【請求項３】
前記コンピュータグラフィックスの動作と連動する音楽や効果音を発生させる音響発生手段を設けたことを特徴とする請求項１または請求項２に記載の筋力トレーニングシステム。
【請求項４】
被検者側コンピュータの前記モニタに表示される前記検出圧力に関する情報を通信手段を介して受信するとともにモニタに表示させる医師側コンピュータを有することを特徴とする請求項１から請求項３のいずれか１項に記載の筋力トレーニングシステム。
【請求項５】
前記医師側コンピュータは、受信した前記検出圧力に関する情報よりその後のトレーニングの内容を演算し、通信手段を介して前記被検者側コンピュータに伝達するように形成されていることを特徴とする請求項４に記載の筋力トレーニングシステム。
【請求項６】
前記医師側コンピュータは、前記のその後のトレーニングの内容として前記空気袋が接続されている気体の閉流路内の圧力を演算し、通信手段を介して前記被検者側コンピュータに伝達するように形成され、空気袋が接続されている気体の閉流路には前記医師側コンピュータより受信した圧力の大きさに応じて当該閉流路内の圧力を可変設定する電動空気ポンプを設けたことを特徴とする請求項５に記載の筋力トレーニングシステム。
【請求項７】
複数の前記被検者側コンピュータを通信手段によって相互に情報交換自在に接続したことを特徴とする請求項１から請求項３のいずれか１項に記載の筋力トレーニングシステム。
【発明の詳細な説明】
【技術分野】
【０００１】
本発明は、筋力トレーニングシステムに係り、楽しみをもって筋力トレーニングすることに好適な筋力トレーニングシステムに関する。
【背景技術】
【０００２】
一般に、筋力トレーニングは健康人による体力増強、健康維持のためや、疾病により活動性の低下した患者や外傷により筋力の低下した患者のリハビリテーションとして行われている。
【０００３】
このような筋力トレーニングを筋力に負荷をかける運動によって行うトレーニング機器が提案されている（例えば、特許文献１参照）。
【０００４】
【特許文献１】特開２００６−２８９０２５号公報
【発明の開示】
【発明が解決しようとする課題】
【０００５】
しかしながら、従来のトレーニング機器においては、単に上肢、下肢、体幹等人体のトレーニングしたい筋肉に、トレーニング者自身の意思で筋肉に力を入れたり、トレーニング機器から筋肉に負荷をかけるように形成されているものであり、トレーニング者自身にとってはトレーニング自体は味気ないものであった。
【０００６】
特に、疾病により活動性の低下した患者や外傷により筋力の低下した患者によるリハビリテーションにおいては、患者にとって筋肉に力を入れることは痛みを伴うこともある。従って、従来のトレーニング機器は、患者に苦痛を伴うトレーニング機器という印象を与えるものであり、患者に対して進んでトレーニングしようという意思を持たせるものではなかった。そのため、患者は消極的で受動的なリハビリテーションを行うこととなり、積極的に楽しみをもってリハビリテーションを行う場合に比較して、トレーニングメニューの達成速度が劣る等の不都合があった。
【０００７】
本発明はこれらの点に鑑みてなされたものであり、楽しみをもって筋力トレーニングすることができる筋力トレーニングシステムを提供することを目的とする。
【０００８】
また、本発明は、楽しみをもって筋力トレーニングすることができるとともに、筋力トレーニングの進展度合いや関連情報を被検者と他者との間でデータとして送受信できる筋力トレーニングシステムを提供することを目的とする。
【課題を解決するための手段】
【０００９】
前記目的を達成するために本発明の筋力トレーニングシステムは、伸縮自在な空気袋と、この空気袋が接続されている気体の閉流路内の圧力を検出する検出手段と、この検出手段の検出圧力を表示するモニタと、前記検出手段の検出圧力の変化に応じて変化するコンピュータグラフィックスを前記モニタに表示させる制御手段とを有し、前記空気袋を圧縮することにより前記検出手段の検出圧力を変化させると前記モニタに表示されるコンピュータグラフィックスが変化させられるように形成したことを特徴とする。
【００１０】
このように構成することにより、本発明によれば、空気袋を圧縮することにより検出手段の検出圧力を変化させるとモニタに表示されるコンピュータグラフィックスが変化させられるので、楽しみをもって筋力トレーニングすることができる。
【００１１】
また、本発明の筋力トレーニングシステムは、コンピュータグラフィックスが検出圧力に応じてキャラクタを運動させるコンピュータゲームであることを特徴とする。
【００１２】
このように構成することにより、本発明によれば、コンピュータゲームのキャラクタを運動させるように筋力トレーニングすることができ、高いモチベーションを持って楽しくリハビリテーションやトレーニングを行うことができ、早期の機能回復を図ることができる。
【００１３】
また、本発明の筋力トレーニングシステムは、コンピュータグラフィックスの動作と連動する音楽や効果音を発生させる音響発生手段を設けたことを特徴とする。
【００１４】
このように構成することにより、本発明によれば、コンピュータグラフィックスと音楽や効果音とを同時に視聴しながら、より一層楽しく筋力トレーニングすることができる。
【００１５】
また、本発明の筋力トレーニングシステムは、被検者側コンピュータの前記モニタに表示される前記検出圧力に関する情報を通信手段を介して受信するとともにモニタに表示させる医師側コンピュータを有することを特徴とする。
【００１６】
このように構成することにより、本発明によれば、医師側コンピュータのモニタに検出圧力に関する情報が表示されるので、被検者に対して院内他所や遠隔地にいる医師によっても被検者の筋力トレーニングの状態を把握することができる。
【００１７】
また、本発明の筋力トレーニングシステムは、医師側コンピュータは、受信した検出圧力に関する情報よりその後のトレーニングの内容を演算し、通信手段を介して被検者側コンピュータに伝達するように形成されていることを特徴とする。
【００１８】
このように構成することにより、本発明によれば、被検者に対して院内他所や遠隔地にいる医師によっても被検者の筋力トレーニングに対して指示を送付することができる。
【００１９】
また、本発明の筋力トレーニングシステムは、医師側コンピュータは、前記のその後のトレーニングの内容として前記空気袋が接続されている気体の閉流路内の圧力を演算し、通信手段を介して前記被検者側コンピュータに伝達するように形成され、空気袋が接続されている気体の閉流路には前記医師側コンピュータより受信した圧力の大きさに応じて当該閉流路内の圧力を可変設定する電動空気ポンプを設けたことを特徴とする。
【００２０】
このように構成することにより、本発明によれば、被検者に対して遠隔地にいる医師によっても被検者の筋力トレーニングに対して指示を送付することができるとともに、電動空気ポンプによって空気袋が接続されている気体の閉流路内の圧力を医師の指示に従って可変調整することができる。
【００２１】
また、本発明の筋力トレーニングシステムは、複数の被検者側コンピュータを通信手段によって相互に情報交換自在に接続したことを特徴とする。
【００２２】
このように構成することにより、本発明によれば、筋力トレーニングの進展度合いや関連情報を被検者と他者との間でデータとして送受信でき、互いに比較しながら筋力トレーニングを楽しく行うことができる。
【発明の効果】
【００２３】
このように本発明の筋力トレーニングシステムは構成され作用するものであるから、楽しみをもって筋力トレーニングすることができ、また同時に筋力トレーニングの進展度合いや関連情報を被検者と他者との間でデータとして送受信できるという優れた作用効果を奏する。
【発明を実施するための最良の形態】
【００２４】
次に、本発明の実施の形態を図１から図９について説明する。
【００２５】
図１および図２は本発明の筋力トレーニングシステムの各種の実施形態の集合形を示しており、図１は全体構成を示し、図２は全体構成におけるデータの流れを示すブロック図を示している。
【００２６】
図１および図２においては、被検者１としての患者に対して遠隔地にいる医師２によってリハビリテーションを指導する場合にも好適な実施形態を示している。
【００２７】
本実施形態の筋力トレーニングシステム１１は、被検者１が実際に筋力トレーニングを実行する筋力トレーニング部１２と、筋力トレーニング部１２による被検者１の筋力の検出データを少なくともコンピュータグラフィックスを用いてモニタに表示させる被検者側コンピュータ１３と、医師側コンピュータ１４とによって形成されている。
【００２８】
更に説明すると、筋力トレーニング部１２においては、空気圧をもってトレーニングできるように形成されており、被検者１が筋力を付与する伸縮自在な空気袋１５と、この空気袋１５に付与される筋力を検出する検出手段１６とが空気の閉流路となるパイプ１７によって接続されている。検出手段１６においては、一端部に空気袋１５が接続されているパイプ１７の他端部に圧力検出用の圧力センサ１８が接続されている。圧力センサ１８によって検出された筋力を示す圧力はＡＤ変換器（図示せず）によってＡＤ変換され、その後ＣＰＵ１９によって圧力波形信号に変換されてインターフェース２０を経て被検者側コンピュータ１３に出力されるようになっている。これにより被検者１が空気袋１５を縮めさせるように例えば手で握ると、閉流路内の圧力が変化し、圧力センサ１８によって圧力が検出され、被検者側コンピュータ１３に送出される。
【００２９】
更に、筋力トレーニング部１２においては、空気袋１５およびパイプ１７からなる閉流路内の空気圧を可変調節させるために、パイプ１７の途中に設けたコネクタ２１にパイプ２２を介して電動空気ポンプ２３を接続している。この電動空気ポンプ２３は筋力トレーニング部１２に設けたＣＰＵ１９によって指令を受けたモータドライバ２４からの指令によって稼働されて空気袋１５内の圧力を調整するように形成されている。これにより遠隔地にいる医師２からの指示によって電動空気ポンプ２３を稼働させることにより、筋力トレーニングの負荷の大きさを調節可能とさせている。なお、負荷調整を遠隔操作しなくてもよい場合には、電動空気ポンプ２３に代えて手動空気ポンプ（図示せず）をパイプ２２に接続して用いてもよい。さらに、パイプ２２と電動空気ポンプ２３を省略し、空気袋の初期圧力を大気圧としてもよい。
【００３０】
また、検出手段１６に対してパイプ１７、電動空気ポンプ２３の外部機器を着脱自在に形成して、分解して携帯に便とするとよい。
【００３１】
被検者側コンピュータ１３は、図２に示すように本体部のバス２５に構成各部を接続して形成されている。バス２５には全体の動作指令を発するＣＰＵ２６、メモリ２７、キーボードやマウス等の入力装置２８、モニタ２９が接続されている。更に、バス２５には筋力トレーニング部１２とのデータの授受を行うインターフェース３０、このインターフェース３０を介して筋力トレーニング部１２より受けた圧力波形信号に基づいてコンピュータグラフィックス（後述する）を作成する等の処理を施す圧力波形処理部３１、この圧力波形処理部３１によって処理されたデータに基づいてモニタ２９に出力するコンピュータグラフィックス等を制御するＣＧ制御部３２が接続されている。圧力波形処理部３１、ＣＧ制御部３２における処理を行う場合には、メモリ２７に記憶されている種々の情報や、プログラムを用いて適正に行われるように形成されている。
【００３２】
医師側コンピュータ１４は、図２に示すように、インターネット等の通信手段によって被検者側コンピュータ１３と情報の授受が可能なように形成されている。医師側コンピュータ１４も被検者側コンピュータ１３とほぼ同様に形成されており、被検者側コンピュータ１３より受けた圧力波形の情報をモニタ３３に表示し、当該圧力波形の情報を解析して被検者１の今後のリハビリテーションの進め方を演算する圧力波形解析部３４と、今後のリハビリテーションの進め方に応じた空気袋１５内の圧力を演算する空気圧制御部３５を有している。空気圧制御部３５によって演算された空気袋１５内の圧力値は、インターネットを通して被検者側コンピュータ１３に空気圧制御信号として送信され、更に検出手段１６のモータドライバ２４に伝達されて電動空気ポンプ２３を稼動させて、空気袋１５内の圧力を演算値に設定させる。
【００３３】
次に、更に各部の詳細な説明をする。
【００３４】
被検者１が筋力を付与する空気袋１５は、人体の筋力を鍛える筋肉部分に対応した大きさ、形状とするとよく、例えば、手指の動きを鍛える場合には、テニスボール大とするとよい。この場合、例えば、市販の軟式テニスボールの一部に孔を開けてパイプ１７を固着するとよい。
【００３５】
また、トレーニングする手指に対応して空気袋１５を作成してもよい。例えば、図３に示すように、連続気泡(連泡)状のウレタン発泡体４１を、患者の手に適した形状としての細長い直方体状に加工し、これを内部に置き、表面を複数の薄いウレタンシート４２によって覆い、更に各ウレタンシート４２の間部分（図３における斜線部分）を有機溶剤ＴＨＦ(テトラヒドロフラン)に溶かした熱可塑性ウレタン４３によって溶着して袋状に接続し、更に適当な寸法の塩ビチューブからなるパイプ１７をウレタンシート４２の孔部分にＴＨＦに溶かした熱可塑性ウレタンによって溶着する。熱可塑性ウレタンが乾燥すると、ウレタンならびに塩ビはＴＨＦに溶けて互いに接続されるために、ウレタン発泡体４１の外周面を複数のウレタンシート４２を接続した空気袋１５によって覆うとともにパイプ１７を気密状に接続した閉流路が形成される。
【００３６】
また、各ウレタンシート４２はアイロン等で加熱することにより融着することも可能である。
【００３７】
また、患者の手に適した形状に加工した連続気泡(連泡)のウレタン発泡体４１に塩ビチューブからなるパイプ１７を取り付け、ＴＨＦに溶かした熱可塑性ウレタン浴内にディッピングして取出して乾燥させることにより、ウレタン発泡体４１の外周面を薄い一体的なウレタン膜からなる空気袋１５によって覆うとともにパイプ１７を気密状に接続した閉流路が形成される。
【００３８】
また、空気袋１５をウレタンを用いて空洞に制するには、ウレタンのブロー成型等によって形成するとよい。
【００３９】
また、ウレタン発泡体４１の気泡の大きさや密度によりウレタン発泡体４１の硬さが変わるので、空気袋１５の反発力を変えることができる。
【００４０】
更に、空気袋１５部分に布製のカバー（図示せず）を装着することにより、感触を快適にでき、見た目も良好にすることができ、また、カバーを洗濯することにより常に空気袋１５部分を清潔に保持することができる。
【００４１】
更に、患者の手の可動域が小さい場合は、適当な形状の手袋の表面（表面あるいは表と裏の２ヶ所）に付けられた袋の内部に適当な形状の空気袋１５を入れ、手袋を患手に装着することにより微小な空気圧の変化を検出するようにしてもよい。
【００４２】
被検者側コンピュータ１３によるモニタ２９に表示させるコンピュータグラフィックスとしては、被検者１が空気袋１５をつぶすことにより付与する加圧力に対応して楽しみをもって筋力トレーニングすることができる情報を表示するものであれば、どのように形成されているものであってもよい。更に、音楽や効果音を同時に発生させるようにするとよい。
【００４３】
このようなコンピュータグラフィックスとしては、図４〜図９に示すものが挙げられる。
【００４４】
図４は、リハビリテーションの目標値（ｘｘｋＰａ）に対する現在の被検者１が空気袋１５をつぶした時に付与される筋力の値としての実加圧力を、加圧力０の点からボールを実加圧力の位置まで上下動させて、被検者１に自分の筋力の大きさを目視できるイメージとして把握できるようにしたものである。これにより、被検者１は目標に向けて更に加圧力を上げるように努力しようとするモチベーションを持って楽しくリハビリテーションを行うことができる。
【００４５】
図５は、被検者１が空気袋１５をつぶすことにより付与する加圧力の大きさを時間の進行とともにリアルタイムでグラフ表示させるものである。更に、図５においては、現在の被検者１が手術後４週目においてリハビリテーションを行っている場合に、現在の加圧力の値（術後４週目）と過去のデータ、例えば、術後１週目のデータとを同時に表示して、被検者１に自己のリハビリテーションの進展状況をグラフを見て確認できるようにしたものである。これにより、被検者１は過去に比較して現在の自己の加圧力が向上していることや、加圧力の付与の間隔が短くなり、確実に自己の機能改善が図られていることを実感として把握することができ、更にトレーニング効果を上げるように努力しようとするモチベーションを持って楽しくリハビリテーションを行うことができる。
【００４６】
図６〜図９は、モニタ２９にリハビリテーションの進展に伴って物語のストーリーが進展するアニメーションからなるコンピュータグラフィックスを表示する場合を示しており、各図は物語の主な場面を示している。
【００４７】
図６〜図９に示す実施形態は、「桃太郎の鬼退治」という物語を例示している。
【００４８】
図６は「桃太郎の鬼退治」の開始の画面であり、リハビリテーションを行う際に、トレーニングの友またはトレーニングのメニューとなる物語を被検者１の好みによって選択することによりモニタ２９に表示される。
【００４９】
図７は、図６に続いて表示される画面であり、桃太郎について行く家来を犬、猿、キジと順に選択し、最後に退治する鬼を選択する選択画面である。
【００５０】
図８は、図７において、家来として犬を選択した画面を示しており、桃太郎と犬がモニタ２９に表示され、画面を左側から右向きに桃太郎および犬に向けて所定の時間ピッチｔ１毎に進行してくるタイミングマークＴＭを桃太郎および犬が飛び越すように空気袋１５をつぶすことにより被検者１の手指の筋力のトレーニングを行うものである。この時の桃太郎および犬の飛び上がる高さを空気袋１５に付与された被検者１の筋力の大きさとして表示し、その筋力が所定の閾値ｈ１を越えた時に、家来として犬を選択したときのトレーニング達成としたと判断することにしている。タイミングマークＴＭの時間ピッチｔ１は、家来の数が増えるに従って次第に短くし、筋力の閾値ｈ１は家来の数が増えるに従って次第に大きくするように設定してリハビリテーションの効果を高くするとよい。
【００５１】
図９は、図７において、家来として犬、猿、キジを選択した画面を示しており、桃太郎と犬、猿、キジがモニタ２９に表示され、画面を左側から右向きに桃太郎、犬、猿、キジに向けて所定の時間ピッチｔ１毎に進行してくるタイミングマークＴＭを桃太郎、犬、猿、キジが飛び越すように空気袋１５をつぶすことにより被検者１の手指の筋力のトレーニングを行うものである。
【００５２】
図９に示すトレーニングのメニューが達成されると、図７において最終段の鬼を選択して最終段のトレーニングのメニューが実行される。その最終段のトレーニングのメニューが達成されると図６に示す鬼退治が実現されたアニメがモニタに表示される。
【００５３】
このように被検者１は鬼退治という物語に従って、自らのトレーニングの進展を実行することによって、その物語を進展させることができ、ゲーム感覚によりトレーニングを行うことができ、更にトレーニング効果を上げるように努力しようとするモチベーションを持って楽しくリハビリテーションを行うことができ、早期の筋力向上を図ることができる。
【００５４】
次に、本発明の作用を説明する。
【００５５】
本発明の筋力トレーニングシステム１１は、被検者１としての運動機能障害者である患者が筋力を回復するためのリハビリテーションに用いる場合もあり、また筋力増強を目指すトレーニングに用いる場合もある。
【００５６】
まず、被験者１の氏名、生年月日等被検者１を特定する情報を入力装置２８によって被検者側コンピュータ１３に入力し、被検者１のトレーニング記録をメモリできるようにする。
【００５７】
次に、被験者１が空気の入った空気袋１５を手で握ったり、足で踏んだり、臀部で押しつぶしたり、あるいは腕で抱いたりすることを繰り返すことで、上・下肢や体幹の筋力を向上させることができる。被験者１は椅子に座ったままでもベッドに寝たままでも、あるいは立ったままでもこれらの運動を行うことができる。例えば、空気袋１５の大きさ、形状、材質、初期圧力の大きさなどはリハビリや筋トレの目的によって適当に変えるとよい。また、空気袋１５を図示しないペダルによって圧縮する動作を加えることにより下肢運動機能障害者のリハビリテーションを好適に行うことができる。
【００５８】
空気袋１５をつぶすと、パイプ１７が接続されている空気の閉流路の圧力が上昇し、この圧力変動が検出手段１６の圧力センサ１８によって検出され、その検出信号がＡ／Ｄ変換されてＣＰＵ１９によってインターフェース２０を介して被検者側コンピュータ２９に送られる。その検出信号はインターフェース３０を経て受けられ、ＣＰＵ２６によってメモリ２７内に記憶されている所定のプログラムによって圧力波形処理部３１において圧力波形処理を施され、続いてＣＧ制御部３２によって前述したコンピュータグラフィックス化されてモニタ２９に表示される。
【００５９】
このコンピュータグラフィックスとしては、例えば、図４から図９に示す３種類の１つ若しくは複数をモニタ２９に表示するとよい。
【００６０】
モニタ２９に表示されるコンピュータグラフィックスは、圧力センサ１８による検出圧力の大きさに対応して変化するとともに、圧力センサ１８の検出圧力にリアルタイムで同期したものとなる。
【００６１】
例えば、図４に示す例によれば、リハビリテーションの目標値（ｘｘｋＰａ）に対する現在の被検者１が空気袋１５を圧縮した時に付与される筋力の値としての実加圧力を、加圧力０の点からボールを実加圧力の位置まで上下動させるので、被検者１は自分の筋力の大きさを目視できるイメージとして把握できる。これにより、被検者１は目標に向けて更に加圧力を上げるように努力しようとするモチベーションを持って楽しくリハビリテーションを行うことができる。
【００６２】
また、図５に示す例によれば、被検者１が空気袋１５を圧縮することにより付与する加圧力の大きさを時間の進行とともにリアルタイムでグラフ表示させる。従って、図５においては、現在の被検者１が手術後４週目においてリハビリテーションを行っている場合に、現在の加圧力の値（術後４週目）と過去のデータ、例えば、術後１周目のデータとを同時に表示することにより、被検者１は自己のリハビリテーションの進展状況を、グラフを見ながら確認できる。これにより、被検者１は、過去に比較して現在の自己の加圧力が向上していることや、加圧力の付与の間隔が短くなり、確実に自己の機能改善が図られていることを実感として把握することができ、更にトレーニング効果を上げるように努力しようとするモチベーションを持って楽しくリハビリテーションを行うことができる。
【００６３】
図６から図９に示すれによれば、被検者１は鬼退治という物語に従って、自らのトレーニングの進展を実行することによって、その物語を進展させることができ、ゲーム感覚によりトレーニングを行うことができ、更にトレーニング効果を上げるように努力しようとするモチベーションを持って楽しくリハビリテーションを行うことができ、早期の筋力向上を図ることができる。
【００６４】
被検者１が自己完結型のトレーニングを行う場合においては、筋力トレーニング部１２と被検者側コンピュータ１３からなるシステムにより、筋力トレーニングを行うとよい。また、医師が被検者１の側にいて直接指導する場合には、入力装置２８を用いて電動空気ポンプ２３による空気袋１５内の圧力値を変化させる指令を入力し、電動空気ポンプ２３をモータドライバ２４を介して稼動させて、空気袋１５に接続されている空気の閉流路の圧力をトレーニングの進展に応じて可変調整させて、適正なトレーニングを実行するようにするとよい。
【００６５】
また、コネクタ２１に接続されているパイプ２２から電動空気ポンプ２３を外し、代わって空気袋１５を接続して、一方の空気袋１５を運動機能障害を有する手指で握り、他方の空気袋１５を健常な手で握って空気袋１５をつぶすと、他方の空気袋１５が膨張するので、運動機能障害を有する手指に強制的に屈伸させる運動を行わせることもできる。
【００６６】
被検者１が自宅トレーニングする場合のように医師または理学療法士から離れている場合には、医師側コンピュータ１４を医師の側に設置し、インターネットや携帯電話等の通信手段によって被検者側コンピュータ１３から圧力波形信号を送信させる。医師側コンピュータ１４は被検者側コンピュータ１３より受けた圧力波形の情報をモニタ３３に表示し、圧力波形解析部３４によって圧力波形の情報を解析し、更に空気圧制御部３５によって被検者１の今後のリハビリテーションの進め方に応じた空気袋１５内の圧力値を演算する。その後、空気圧制御部３５によって演算された空気袋１５内の圧力値は、インターネットを通して被検者側コンピュータ１３に空気圧制御信号として送信され、更に検出手段１６のモータドライバ２４に伝達されて電動空気ポンプ２３を稼動させて、空気袋１５内の圧力を演算値に設定させる。このように医師や理学療法士により、遠隔で被検者１の回復状態を確認するとともに的確な指導をすることができる。これにより、圧力センサ１８による検出圧力の情報を、電子メールやインターネット等の通信手段で、離れた場所で医師やトレーナが確認できることにより、被検者１は遠隔地から高度な医療や指導を受けることができる。
【００６７】
また、本発明の筋力トレーニングシステム１１においては、複数の被検者側コンピュータ１３を通信手段によって相互に情報交換自在に接続することにより、筋力トレーニングの進展度合いや関連情報を被検者１と他者との間でデータとして送受信でき、互いに競いながら筋力トレーニングを楽しく行うことができる。
【００６８】
なお、本発明は前記実施の形態に限定されるものではなく、必要に応じて変更することができる。
【図面の簡単な説明】
【００６９】
【図１】本発明の筋力トレーニングシステムの１実施形態の全体構成を示す構成図
【図２】図１に示す本発明の筋力トレーニングシステムの信号の流れを示すブロック図
【図３】空気袋の１例を示す部分切断斜視図
【図４】コンピュータグラフィックスの１例を示す説明図
【図５】コンピュータグラフィックスの他の例を示す説明図
【図６】コンピュータグラフィックスの更に他の例の開始画面を示す説明図
【図７】図６のコンピュータグラフィックスの次の画面を示す説明図
【図８】図７のコンピュータグラフィックスの次の画面を示す説明図
【図９】図８のコンピュータグラフィックスより進んだ画面を示す説明図
【符号の説明】
【００７０】
１  被検者
２  医師
１１  筋力トレーニングシステム
１３  被検者側コンピュータ
１４  医師側コンピュータ
１５  空気袋
１６  検出手段
１８  圧力センサ
２３  電動空気ポンプ
２９、３３  モニタ
【図１】
2008307321.tif 000003
【図２】
2008307321.tif 000004
【図３】
2008307321.tif 000005
【図４】
2008307321.tif 000006
【図５】
2008307321.tif 000007
【図６】
2008307321.tif 000008
【図７】
2008307321.tif 000009
【図８】
2008307321.tif 000010
【図９】
2008307321.tif 000011